(57)【要約】【課題】  排水口に備えられる目隠しプレートにおいて、目隠しプレートと排水口の隙間の間に砂等を噛みこんだ場合でも、目隠しプレートを取り外す際に、容易且つキズや破損の生じない排水口の目隠しプレートを提供するものである。【解決手段】  槽体の底面の排水口を被覆する目隠しプレートを、排水口の周縁に設けた段部と、該段部に載架される、下方ほど排水口の中心方向に傾斜する周縁部と、から構成する。また、上記目隠しプレートを、金属材から構成する。また、上記目隠しプレートを、樹脂材と金属材で被覆した構成とする。【選択図】  図２
2006188899.tif 000002
【特許請求の範囲】
【請求項１】
槽体の底面の排水口を被覆する目隠しプレートであって、
排水口の周縁に設けた段部と、
該段部に載架される、下方ほど排水口の中心方向に傾斜する周縁部と、
から構成したことを特徴とする、排水口の目隠しプレート。
【請求項２】
上記目隠しプレートを、金属材から構成したことを特徴とする上記請求項１記載の排水口の目隠しプレート。
【請求項３】
上記目隠しプレートを、樹脂材と金属材で被覆した構成を特徴とする上記請求項１記載の排水口の目隠しプレート。
【発明の詳細な説明】
【技術分野】
【０００１】
本発明は、洗面台や流し台などの、排水口に備えられる目隠しプレートに関するものである。
【背景技術】
【０００２】
従来より、洗面台や流し台など、使用によって排水の生じる生活機器（以降、これらの機器を「排水機器」と呼ぶ）には、槽体内に生じた排水を床下の配管から下水側に排出するため、槽体の底面に排水口を備えた排水装置を設けている。これらの排水装置の排水口には、単純に開口が穴となっているものから、例えば流し台に多く見られるように、排水口中に目皿やゴミカゴを備え、排水中の毛髪、汚物、厨芥などが排水管内に流出して管詰まりや水質汚濁の原因にならないように工夫されているものなど、様々なものがある。
【０００３】
上記のような排水口において、排水口内のヌメリ物質や付着物を、また排水口にゴミカゴを備えている場合はゴミカゴ内の汚物や厨芥を、それぞれ直視すると使用者が不快感を感じるため、排水口内や排水口内のゴミカゴ等を直視しないように、排水口に目隠しプレートを備える場合が多い。
図６は、このような目隠しプレートの一例であって、流し台の排水口周縁に段部分を設け、該段部に断面視垂直に立ち上がった周縁部を載架することで、排水口に目隠しプレートを配置して成る。
更に該目隠しプレートは、この周縁部の内方に、その一半部が中央に向って若干傾斜する平面部と、他の一半部が下方に向って大きく傾斜する斜面部と、から形成された被覆部を備え、排水がスムーズに行われ、且つ排水口内の厨芥やぬめりが直視されないように機能する。
【０００４】
【特許文献１】特開平８−１７７１０１号公報（図３、図４）
【発明の開示】
【発明が解決しようとする課題】
【０００５】
上記段落０００３に記載したような目隠しプレートは、通常、排水口の段部に対して、着脱を容易にするため若干の隙間（マージン）を設けているものの、意匠性を高める理由から目隠しプレート周縁部の外周面と排水口の段部の内周面をほぼ同じ形状／寸法に形成して成る。このため、上記の目隠しプレート周縁部の外周面と排水口の段部の内周面との間に、排水に混入していた砂や厨芥、髪の毛等が入り込むと、上記の目隠しプレートと排水口の間の隙間が埋められ、排水口から目隠しプレートを取り外すことができなくなる、という問題があった。
【０００６】
従来では目隠しプレートはほとんどが樹脂材から形成されていた。このように目隠しプレートが樹脂材であれば、材質的に若干の柔軟性があるため、目隠しプレートと排水口の隙間の間に砂等を噛みこんでも、多少強引に目隠しプレートを引き上げる事で、多少表面にキズが付くものの、目隠しプレートがたわんで排水口から取り出すことが可能であった。
しかしながら、最近では目隠しプレートをステンレスなどの金属材から構成する場合が増加している。これは、排水を大量に流した場合に、水に比重が近い樹脂材では目隠しプレートが排水口から浮かび上がってしまうため、比重の大きい金属材を用いることで浮き上がりを防止するためや、また流し台のシンクなどはステンレスなどの金属材で作られる場合が多く、色調を一致させるためや、高級感の演出など、意匠性の問題に対応するなどの理由による。ところが、金属材は樹脂などに比べるとはるかに強固で、樹脂の様にたわむことがない。また排水口も金属材や陶器など柔軟性の無い素材で構成されることが多いため、目隠しプレートと排水口の隙間の間に砂等を噛みこんだ場合、排水口や目隠しプレートにキズや破損を生じさせつつ、強引に目隠しプレートを引き上げるか、あるいはブラシなどで手間を掛けつつ、隙間に入り込んだ砂などを取り除くかしなければ成らなかった。
本発明は上記問題点を解決するために発明されたものであって、排水口の目隠しプレートにおいて、目隠しプレート、特に金属材から構成された目隠しプレートにおいて、目隠しプレートと排水口の隙間の間に砂等を噛みこんだ場合でも、目隠しプレートを取り外す際に、容易且つキズや破損の生じない排水口の目隠しプレートを提供するものである。
【課題を解決するための手段】
【０００７】
本発明の請求項１に記載した、槽体の底面の排水口を被覆する目隠しプレートであって、
排水口の周縁に設けた段部と、該段部に載架される、下方ほど排水口の中心方向に傾斜する周縁部と、から構成したことを特徴とする、排水口の目隠しプレートである。
【０００８】
本発明の請求項２に記載した、金属材から構成したことを特徴とする上記請求項１記載の排水口の目隠しプレートである。
【０００９】
本発明の請求項３に記載した、樹脂材と金属材で被覆した構成を特徴とする上記請求項１記載の排水口の目隠しプレートである。
【発明の効果】
【００１０】
本発明の排水機器の配管構造によれば、以下の効果を奏する。
請求項１に記載の槽体の排水器によれば、意匠性を高める理由から目隠しプレートの周縁部の外周面と排水口の段部の内周面とがほぼ同じ形状／寸法に形成されている場合に、目隠しプレート周縁部の外周面と排水口の段部の内周面との間に、排水に混入していた砂や厨芥、髪の毛等が入り込んでも、目隠しプレートと排水口の間の隙間が広く開いているため埋められることがほとんど無くなる、という効果を奏する。
これは、請求項２及び請求項３に記載の排水口の目隠しプレートの様に、目隠しプレートの全体または一部を金属材材で構成した場合に特に効果的に機能する。
【発明を実施するための最良の形態】
【００１１】
槽体の底面の排水口を被覆する目隠しプレートであって、排水口の周縁に設けた段部に、下方ほど排水口の中心方向に傾斜する周縁部を備えた排水口の目隠しプレートを載架して構成する。
また、上記目隠しプレートを、金属材または樹脂材と金属材から構成する。
【実施例】
【００１２】
以下に、本発明の第一実施例について図面を参照しつつ説明する。
本発明の第一実施例は、図１乃至図２に示した、流し台のシンクに取り付けられる排水装置としての排水器本体（１）、目隠しプレート（２）、防臭オワン（１０）及びゴミカゴ（１１）から構成されてなる。
排水器本体（１）は、有底略円筒形状にして上方に排水口としての開口を、また底面に排出口を備えてなり、また、上縁外周側にはフランジ部（３）を備え、更に、排水器本体（１）のフランジ部（３）の下側であって、排水器本体（１）の外周面に、周縁に沿って雄ねじ部（４）を設けてなる。更に排水器本体（１）の排水口には、逆ワン構造の封水部を有する排水トラップ（５）が構成されてなる。
本実施例では、目隠しプレート（２）は、金属材であるステンレスにて構成し、プレス加工にて形状を成形する。形状として、流し台使用時の排水を流す開口を有し、目隠しプレート（２）の下方で排水器具に載置されているゴミカゴ（１１）に収納される厨芥等のゴミをシンク前に立つ人から見えにくくする形状を有している。目隠しプレート（２）は、下方ほど排水口の中心方向に傾斜する周縁部を備えており、その形状はプレス加工の倒し工程によって容易に成形することが出来る。
目隠しプレート（２）は、排水器本体（１）の周縁に設けた段部（７）に載架すると目隠しプレート（２）が下方ほど中心に向かって傾斜しているため、排水器本体（１）の段部（７）の内周面（６）と目隠しプレート（２）の周縁部の外周面（８）との間に下方程幅広となる隙間（９）が生じる。
流し台の使用時において、使用中に排水に混入している砂や細かな厨芥等が排水器本体（１）の段部（７）の内周面（６）と目隠しプレート（２）の周縁部の外周面（８）との間に入り込んでも、面と面との間が狭いのは上端部分だけなので、砂や厨芥を噛みこむといった問題は生じない。さらに目隠しプレート（２）を持ち上げる際も、砂や厨芥等は目隠しプレート（２）の周縁部の外周面（８）の傾斜に沿って移動できるため、砂や厨芥等が噛みこむといった問題は生じず、強い力で持ち上げたり、キズがつくといった不具合がなく目隠しプレート（２）の洗浄等を行うことができる。
【００１３】
以下に、本発明の第二実施例について図面を参照しつつ説明する。
本発明の第二実施例は、図１に示した、流し台のシンクに取り付けられる排水装置としての排水器本体（１）、防臭オワン（１０）及びゴミカゴ（１１）から構成されてなる。また、目隠しプレート（２）は図４に示したように一部樹脂材（１２）を採用してなる。
排水器本体（１）は、有底略円筒形状にして上方に排水口としての開口を、また底面に排出口を備えてなり、また、上縁外周側にはフランジ部（３）を備え、更に、排水器本体（１）のフランジ部（３）の下側であって、排水器本体（１）の外周面に、周縁に沿って雄ねじ部（４）を設けてなる。更に排水器本体（１）の排水口には、逆ワン構造の封水部を有する排水トラップ（５）が構成されてなる。
目隠しプレート（２）は、プレス加工にて形状を成形した金属材を金型にインサートして一体成形する方法またはそれを樹脂成形品と加締め嵌合させて一体化する方法等樹脂成形品にステンレス等の金属材を被覆させて構成される。形状として、流し台使用時の排水を流す開口を有し、目隠しプレート（２）の下方で排水器具に載置されているゴミカゴ（１１）に入っている厨芥等のゴミをシンク前に立つ人から見えにくくする形状を有している。第一実施例にて述べた金属材のみの構成品は、表面の外観はステンレスシンクとの一体感があり樹脂にはない質感を有するが、プレス加工にて成形出来る形状には制限がある。それに対し、この第二実施例の樹脂成形品にステンレス等の金属材を被覆させて構成した製品は表面にステンレスを被覆させることで金属の質感はそのままに、けがをする金属材の端部を被覆する等、複雑な形状を要する部分には樹脂にて成形し、それらの問題を解決することが出来る。目隠しプレート（２）は、下方ほど排水口の中心方向に傾斜する周縁部を備えており、その形状は金属材はプレス加工の倒し工程によって容易に成形することが出来、また樹脂材はその金属材を金型にインサートして一体成形する方法、またはその金属材を樹脂成形品と加締め嵌合させて一体化する方法等にて複雑な形状を成形可能にする。
目隠しプレート（２）は、排水器本体（１）の周縁に設けた段部（７）に載架すると排水器本体（１）の段部（７）の内周面（６）と目隠しプレート（２）の周縁部の外周面（８）とに隙間（９）が生じる。
流し台の使用時において、使用中に排水に混入している砂や細かな厨芥等が排水器本体（１）の段部（７）の内周面（６）と目隠しプレート（２）の周縁部の外周面（８）との間に入り込んでも面と面との間が狭いのは上端部分だけなので砂や厨芥を噛みこむといった問題は生じない。さらに目隠しプレート（２）を持ち上げる際も砂や厨芥等は目隠しプレート（２）の周縁部の外周面（８）の傾斜に沿って移動できるため、砂や厨芥等が噛みこむといった問題は生じず、強い力で持ち上げなければならなかったり、キズがつくといった不具合がなく目隠しプレート（２）の洗浄等を行うことができる。
【００１４】
また、上記実施例において、目隠しプレート（２）は、第一実施例では金属材のみの構成を有し、第二実施例では金属材に一部樹脂材を採用する構成を有しているが、例えば図５に示したように樹脂材のみで構成した場合においても、傾斜部（１２）を設けた形状にて成形することができる。この場合、樹脂製品に特有の収縮によるゆがみ形状、いわゆるヒケ等が生じる可能性も有るが、作用、効果については第一実施例と同じ効果を得ることが出来るため、特に上記実施例のような金属材を用いる構成に限定されるものではない。
【図面の簡単な説明】
【００１５】
【図１】本発明の第一及び第二実施例の施工状態を示す断面図である。
【図２】本発明の第一実施例の要部を示す拡大図である。
【図３】本発明の目隠しプレートを示す斜視図である。
【図４】本発明の第二実施例の要部を示す拡大図である。
【図５】本発明の第二実施例の要部を示す拡大図である。
【図６】従来技術の要部を示す拡大図である。
【００１６】
１    排水器本体    ２    目隠しプレート
３    フランジ部    ４    雄ねじ部      ５    排水トラップ
６    内周面        ７    段部          ８    外周面
９    隙間          １０  防臭オワン
１１  ゴミカゴ      １２  樹脂材        Ｄ    砂・厨芥等  
【図１】
2006188899.tif 000003
【図２】
2006188899.tif 000004
【図３】
2006188899.tif 000005
【図４】
2006188899.tif 000006
【図５】
2006188899.tif 000007
【図６】
2006188899.tif 000008